(57)【特許請求の範囲】
【請求項１】
浴槽に接続して浴槽内の湯水を循環させる循環ポンプを内部に設け、前記浴槽の前記循環ポンプの吸い込み側にはフィルターを有する戻り循環金具が取り付けられ、前記循環ポンプの作動直後に急激な負圧への落ち込み現象が前記循環ポンプの吸い込み側において発生する浴槽湯水強制循環装置において、前記循環ポンプの吸い込み側には圧力検知手段が設けられ、該圧力検知手段と前記循環ポンプの間には絞り部が設けられていることを特徴とする浴槽湯水強制循環装置。
【請求項２】
浴槽に接続して浴槽内の湯水を循環させる循環ポンプと、前記浴槽の前記循環ポンプの吸い込み側に取り付けられ、フィルターを有する戻り循環金具と、前記循環ポンプの吸い込み側に設けた絞り部と、該絞り部の上流側から分岐し該絞り部の下流側で再び合流するバイパス水路と、該バイパス水路途中に設けた熱交換器と、該熱交換器を流れる湯水を加熱する加熱手段とを内部に設け、前記循環ポンプの作動直後に急激な負圧への落ち込み現象が前記循環ポンプの吸い込み側において発生する浴槽湯水強制循環装置において、前記絞り部の上流側のバイパス水路には圧力検知手段が設けられていることを特徴とする浴槽湯水強制循環装置。
【発明の詳細な説明】
【０００１】
【発明の属する技術分野】
本発明は、浴槽内の湯水を強制的に循環させる循環ポンプを内蔵することにより可能となる各種機能、例えば気泡発生機能、追い焚き機能、浴槽水のろ過機能、浴槽洗浄機能等を単独又は複合して備え、その他給湯機能や、暖房機能等も併せて備えた装置又は機器、いわゆる気泡発生装置（ジェットバス装置）、強制循環式ふろがま、給湯機能付き強制循環式ふろがま等である浴槽湯水強制循環装置に関するものである。
【０００２】
【従来の技術】
従来の浴槽湯水強制循環装置は浴槽内の湯水を循環させるため入浴者の髪の毛や垢等を同時に吸い込むことになり、これらの入浴者の髪の毛や垢等は浴槽湯水強制循環装置に内蔵する循環ポンプにそのまま吸い込まれ入れてしまうと循環ポンプの循環流量の減少や、これが高じた場合は循環ポンプ自体を破損させる場合があった。これを防ぐため循環ポンプの吸込口に連接する浴槽内の開口部や循環ポンプの吸込口に連接する管の途中に網や多孔質体等よりなるフイルターを着脱自在になるように設けて前記入浴者の髪の毛や垢等を前記循環ポンプに吸い込まれないようにし、かつ前記フィルターで補足した前記入浴者の髪の毛や垢等を前記フィルターが脱着できることにより簡単に除去（フィルターの掃除）ができるものとなっていた。ところが、通常、前記浴槽湯水強制循環装置の取扱説明書や注意表示等には使用が所定の期間に達した場合は必ずフィルターの掃除を励行するように明示しているが、使用者は前記浴槽湯水強制循環装置が異常なく使用できる限りは前記フィルターの掃除をする必要があるとは感じないため、フィルターの目詰まりを検知する圧力検知手段を前記フィルターの取付位置より下流の循環ポンプの吸込口に連接する管に設けて、フィルターの目詰まりが所定の負圧となった時点で前記浴槽湯水強制循環装置の運転を停止させるようになっていた。
【０００３】
【発明が解決しようとする課題】
しかしながら、前記従来の浴槽湯水強制循環装置は以下の課題を有していた。
ａ．浴槽湯水強制循環装置として圧力検知手段を使用する場合は、吸込口側の圧力が所定以上の負圧（仮に、−Ｐj kPaに設定されているものとする。）になった時点で検知させるようにしてあるが、循環ポンプの作動直後においては短時間ではあるが急激な負圧への落ち込み現象が発生するため浴槽湯水強制循環装置が通常の運転中に発生するであろう負圧に対して所定の余裕率をもって前記所定以上の負圧（−Ｐj kPa）を定めたとしても、前記圧力検知手段は誤動作し易くなるという問題があった。
【０００４】
ｂ．そのため、前記所定以上の負圧（−Ｐj kPa）を定める際にできるだけ余裕率を見込んで定めるため、浴槽湯水強制循環装置の循環量が減少したことが使用者にはっきりと判る程度に前記フィルターへほぼ完全に目詰まりした状態、いわゆる末期状態にならないと、圧力検知手段により負圧を検知させて使用者に表示、音声又は運転状態の停止等による警告をすることができないという問題があった。
【０００５】
ｃ．また、浴槽湯水強制循環装置が加熱手段を内蔵する強制循環式ふろがま又は給湯機能付き強制循環式ふろがま等の場合は、前述のように浴槽湯水強制循環装置の循環量が減少したことが使用者にはっきりと判る程度に前記フィルターへほぼ完全に目詰まりした状態で加熱手段により加熱を行うことは、循環流量が減少して温度上昇幅が増加することにより熱効率が低下し、沸き上がりまでの時間が長くなるという問題があった。
【０００６】
本発明は上記従来の課題を解決するもので、誤作動が少なくフイルターの目詰まりが末期状態になる前に作動させることができる浴槽湯水強制循環装置の提供を目的とする。
【０００７】
【課題を解決するための手段】
本発明の循環ポンプの作動直後に急激な負圧への落ち込み現象が前記循環ポンプの吸い込み側において発生する浴槽湯水強制循環装置、特に限定するならば気泡発生装置は、浴槽に接続して浴槽内の湯水を循環させる循環ポンプを内部に設けており、前記浴槽の前記循環ポンプの吸い込み側にはフィルターを有する戻り循環金具が取り付けられ、前記循環ポンプの吸い込み側には圧力検知手段が設けられ、該圧力検知手段と前記循環ポンプの間には絞り部が設けられた構成とした。これにより、誤作動が少なくフィルターの目詰まりが末期状態になる前に作動させることを可能とした。
【０００８】
また、本発明の循環ポンプの作動直後に急激な負圧への落ち込み現象が前記循環ポンプの吸い込み側において発生する浴槽湯水強制循環装置、特に限定するならば給湯器付強制循環式ふろがまは、浴槽に接続して浴槽内の湯水を循環させる循環ポンプと、前記浴槽の前記循環ポンプの吸い込み側に取り付けられ、フィルターを有する戻り循環金具と、該循環ポンプの吸い込み側に設けた絞り部と、該絞り部の上流側から分岐し該絞り部の下流側で再び合流するバイパス水路と、該バイパス水路途中に設けた熱交換器と、該熱交換器を流れる湯水を加熱する加熱手段とを、内部に設けた浴槽湯水強制循環装置において、前記絞り部の上流側のバイパス水路には圧力検知手段が設けられた構成とした。これにより、誤作動が少なくフィルターの目詰まりが末期状態になる前に作動させることを可能とした。
【０００９】
【発明の実施の形態】
本発明における浴槽湯水強制循環装置の実施の形態について、以下図面を用いて説明する。
図１は浴槽湯水強制循環装置の実施例としての気泡発生装置の構成図であり、図２は浴槽湯水強制循環装置の他の実施例としての給湯機能付き強制循環式ふろがまの構成図、図３、図４及び図５は浴槽湯水強制循環装置の圧力変化に関する各種の説明図である。各部の説明において、同じ箇所には同じ符号を付けて説明を省略する。
【００１０】
図１の本発明の浴槽湯水強制循環装置の構成図中、１は浴槽湯水強制循環装置の一種である気泡発生装置、２は浴室内に設置した浴槽、３は該浴槽２の近傍に設けた前記気泡発生装置１の気泡の発生の開始及び停止等の操作を行うスイッチと前記気泡発生装置１の運転状態を表示する表示部を有したリモコン、１１は前記気泡発生装置１に内蔵した循環ポンプ、１２は前記気泡発生装置１の外面に設けた前記浴槽２への後述する往き配管を接続するための接続口である往き配管接続口、１３は前記気泡発生装置１の外面に設けた前記浴槽２よりの後述する戻り配管を接続するための接続口である戻り配管接続口、１４は前記循環ポンプ１１の吐出口より前記往き配管接続口１２までの前記気泡発生装置１内の管である往き管、１５は前記戻り配管接続口１３より前記循環ポンプ１１の吸入口への前記気泡発生装置１内の管である戻り管、１６は該戻り管１５の途中に設け、該戻り管の内側に凹ませる又は、内側に内径を狭める部品を挿入する等により設けた絞り部、１７は前記戻り管１５の途中で該絞り部１６と前記戻り配管接続口１３の間に設けた圧力検知手段、１８は前記リモコン３の操作内容に従い前記循環ポンプ１１の駆動を制御し、同時に前記循環ポンプ１１の駆動内容を前記リモコン３に表示するように送信する前記気泡発生装置１に内蔵する制御部で、該制御部１８は同時に前記圧力検知手段１７の検知信号を受けてその検知内容に従い所定の動作を行う。
【００１１】
２１は前記浴槽２に取り付けてある往き循環金具、２２は前記浴槽２に取り付けてある戻り循環金具、２３は前記往き循環金具２１と一体となっている気泡吐出用ノズル、２４は前記戻り循環金具２２に着脱自在に取り付けた髪の毛や垢等を捕集する金網や多孔体からなるフィルター、２５は前記往き配管接続口１２と前記往き循環金具２１とを連接する往き配管、２６は前記戻り配管接続口１３と前記戻り循環金具２２を連接する戻り配管、２７は前記往き循環金具２１に外部の空気を吸入する管である空気管、２８は該空気管の途中において電動又は手動によって開閉する空気弁である。
【００１２】
ここで前記気泡発生装置１の動きを説明すると、浴槽２には気泡吐出用ノズル２３を越える水位まで前もってお湯が満たされているものとして、使用者は入浴中に気泡による運転を行う場合は、浴室内にあるリモコン３の気泡運転開始のスイッチ（図示せず）を入れる。リモコン３よりの気泡運転開始の指令により制御部１８は循環ポンプ１１の駆動を開始する。循環ポンプ１１の駆動により浴槽２内の湯はフィルター２４、戻り循環金具２２、戻り配管２６、戻り配管接続口１３、圧力検知手段１７及び絞り部１６が設けられた戻り管１５、循環ポンプ１１、往き管１４、往き配管接続口１２、往き配管２５、往き循環金具２１、気泡吐出ノズル２３を通り再び前記浴槽２に戻る。
【００１３】
この時空気弁２８を使用者が手動により開とするか前述のリモコン３の気泡運転開始のスイッチを入れると、制御部１８により前記循環ポンプ１１の駆動と同時に又は若干遅れて電気的に開とさせる。空気弁２８が開となると、往き循環金具２１は該往き循環金具２１の入り口側を絞るノズルを持っているので内部に向かって前記循環ポンプ１１により吐出圧が加えられた湯によるエゼクター効果により空気管２７を通じて前記空気弁２８より空気を吸い込む。これにより、前記気泡吐出用ノズル２３よりは浴槽２で吸い込んだ湯に空気が混ざって噴出する。この気泡運転を停止する場合は、前記リモコン３の運転停止スイッチ（図示せず）を操作して前記循環ポンプ１１を停止させ、手動又は自動で前記空気弁２８を閉止する。
【００１４】
図２の別の実施例である浴槽湯水強制循環装置の構成図中、４は浴槽湯水強制循環装置の一種である給湯機能付き強制循環式ふろがま、５は該浴槽２の近傍に設けた前記給湯機能付き強制循環式ふろがま４の給湯の設定、追い焚きの開始又は停止及び気泡の発生の開始又は停止等の操作を行うスイッチと前記給湯機能付き強制循環式ふろがま４の運転状態を表示する表示部を有したリモコン、３１は前記給湯機能付き強制循環式ふろがま４に内蔵した循環ポンプ、３２は前記給湯機能付き強制循環式ふろがま４の外面に設けた浴槽２への往き配管２５を接続するための接続口である往き配管接続口、３３は前記給湯機能付き強制循環式ふろがま４の外面に設けた前記浴槽２よりの戻り配管２６を接続するための接続口である戻り配管接続口、３４は前記循環ポンプ３１の吐出口より前記往き配管接続口３２までの前記給湯機能付き強制循環式ふろがま４内の管である往き管、３５は前記戻り配管接続口３３より前記循環ポンプ３１の吸入口への前記給湯機能付き強制循環式ふろがま４内の管である戻り管、３６は該戻り管３５の途中に設け、該戻り管３５の内側に凹ませる又は、内側に内径を狭める部品を挿入する等により設けた絞り部である。
【００１５】
３７は後述する往きバイパス管の途中に設けた圧力検知手段、３８は前記リモコン５の操作内容に従い前記循環ポンプ３１及び後述する加熱手段の運転を制御し、同時に前記循環ポンプ３１及び加熱手段の運転内容を前記リモコン５に表示するように送信する前記給湯機能付き強制循環式ふろがま４に内蔵する制御部で、該制御部３８は同時に前記圧力検知手段３７、後述する水温検知手段及び後述する浴槽水温検知手段の検知信号を受けてその検知内容に従い所定の動作を行う。３９は後述する往きバイパス管の途中に設けた循環する浴槽２の浴水の温度を半導体式、熱電対式、気体膨張式等により検知する浴槽水温検知手段である。
【００１６】
４０は１缶２水路式熱交換器で、内部に減圧した水道水を給水配管により給水し浴槽や台所等の給湯栓（図示せず）に給湯配管により供給する湯を貯湯する槽である給湯熱交換水路４１と、該給湯熱交換水路４１に内蔵して間接的に加熱されるコイル状の追い焚き熱交換水路４２を有している。４３は石油、ガス、電気等を熱源とする前記１缶２水路熱交換器４０の加熱手段、４４は前記１缶２水路式熱交換器４０の外面に設けた前記追い焚き熱交換水路４２の入口側接続口、４５は前記１缶２水路式熱交換器４０の外面に設けた前記追い焚き熱交換水路４２の出口側接続口、４６は前記戻り管３５の絞り部３６の上流側より分岐して前記入口側接続口４４へと連接する往きバイパス管、４７は前記出口側接続口４５から前記戻り管３５の途中に設けられた前記絞り部３６と前記循環ポンプ３１の吸入口の間に合流して連接する戻りバイパス管、４８は前記給湯熱交換水路４１に設け前記給湯熱交換水路４１内に貯湯された水温を半導体式、熱電対式、気体膨張式等により検知する水温検知手段である。
【００１７】
ここで前記給湯機能付き強制循環式ふろがま４の動きについて、給湯運転に関しては本発明とは直接関係ないので簡単に説明する。前記給湯熱交換水路４１に減圧弁（図示せず）により減圧した水道水を給水することによって前記加熱手段４３を前記水温検知手段４８の検知する水温が前記リモコン５で設定された温度になるまで加熱し、内部に貯湯された水を昇温させて湯としこれを給湯熱交換水路４１に連接した給湯管（図示せず）で台所や浴室等に設けた給湯栓（図示せず）を開くことにより前記湯を利用するものである。前記リモコン５においては、前述の給湯運転時の湯温の設定や、加熱手段４３が加熱を行っていることの表示等が可能となっている。
【００１８】
次に追い焚き運転に関して説明すると、予め浴槽２には水道水が汲み置かれているものとして、使用者が追い焚き運転を開始するには、リモコン５に設けられた追い焚きスイッチ（図示せず）を入れる。前記追い焚きスイッチを入れることにより循環ポンプ３１が駆動を開始し、浴槽２に汲み置かれた水道水は、フィルター２４、戻り循環金具２２、戻り配管２６、戻り配管接続口３３、戻り管３５、往きバイパス管４６、入口側接続口４４、追い焚き熱交換水路４２、出口側接続口４５、戻りバイパス管４７、戻り管３５、循環ポンプ３１、行き管３４、往き配管接続口３２、往き配管２５、往き循環金具２１、気泡吐出用ノズル２３を通過して、再び浴槽２へと戻る。これは、戻り管３５に絞り部３６があることにより、前記絞り部３６の上流側にある前記往きバイパス管４６の入口へと浴水の一部が流れ前述の往きバイパス管４６、入口側接続口４４、追い焚き熱交換水路４２、出口側接続口４５、戻りバイパス管４７より前記戻り管３５の絞り部３６の下流側へと連接するバイパス循環水路が構成される。もちろん、循環する浴水の大部分は、戻り管３５、該戻り管３５の途中にある前記絞り部３６を通過し、循環ポンプ３１、往き管３４へと流れる。
【００１９】
この時、前記給湯熱交換水路４１に前述の給湯運転と同様に減圧された水道水が給水されており、この給水された水道水が前述の給湯運転と同様に加熱手段４３で加熱された湯となっているものとすると、追い焚き熱交換水路４２は前記湯に前記給湯熱交換水路４１内部で外表面が浸されているので、前記循環ポンプ３１の駆動で前記浴槽２内に汲み置かれた浴水を循環させると、前記追い焚き熱交換水路４２を通過する浴水が間接的に加熱手段４３で加熱されることとなる。ここで、前記浴槽２内に汲み置かれた浴水の温度が低い場合には、前記追い焚き熱交換水路４２内を通過する時に浴水は加熱されて温度が上昇するが、前記給湯熱交換水路４１に貯湯された湯は逆に熱を奪われて温度が低下し、前記水温検知手段４８で検知する水温が追い焚き運転時の給湯熱交換水路４１の設定温度以下に低下した場合には、前記加熱手段４３は前記給湯熱交換水路４１の加熱を行う。
【００２０】
浴槽２内の浴水の温度は前記往きバイパス管４６に設けた前記浴槽水温検知手段３９で検知した循環水の水温が前記リモコン５で設定した浴槽２の沸き上げ温度になった時点で前記循環ポンプ３１の駆動を停止する。また、使用者は前記リモコン５に設けられた追い焚きスイッチ（図示せず）を切ることにより、任意に追い焚き運転を停止することができる。
【００２１】
最後に気泡運転について説明すると、予め浴槽２には気泡吐出用ノズル２３を越える水位まで水道水又はお湯が汲み置かれているものとすると、使用者は入浴中に気泡による運転を行うためには、浴室内にあるリモコン５の気泡運転開始のスイッチ（図示せず）を入れる。リモコン５よりの気泡運転開始の指令により制御部３８は循環ポンプ３１の駆動を開始する。循環ポンプ３１の駆動により浴槽２内の湯はフィルター２４、戻り循環金具２２、戻り配管２６、戻り配管接続口３３、絞り部３６が設けられた戻り管３５、循環ポンプ３１、往き管３４、往き配管接続口３２、往き配管２５、往き循環金具２１、気泡吐出ノズル２３を通り再び前記浴槽２へと戻る。もちろんこの場合においても、前述の追い焚き運転と同様に前記戻り管３５から分岐して、圧力検知手段３７及び浴槽水温検知手段３９の設けられた往きバイパス管４６、入口側接続口４４、追い焚き熱交換水路４２、出口側接続口４５、戻りバイパス管４７より前記戻り管３５の絞り部３６の下流側へと合流する追い焚き用のバイパス循環水路にも一部循環水が流れる。よって、気泡運転中においても同時に追い焚き運転を行うことは可能となり、追い焚き運転を同時に行う場合は加熱手段４３の加熱を開始する温度を自動的に高温にすることにより対応し、気泡運転だけの場合は、加熱運転を行わないようにするか、加熱手段４３の加熱を開始する温度を入浴温度程度に設定することにより保温のみは行えるようにする。
【００２２】
この時空気弁２８が使用者が手動により開とするか前述のリモコン５の気泡開始のスイッチを入れることにより制御部３８により前記循環ポンプ３１の駆動と同時に又は若干遅れて電気的に開とさせる。
空気弁２８が開となると、往き循環金具２１は該往き循環金具２１の入り口側を絞るノズルを持っているので内部に向かって前記循環ポンプ３１により吐出圧が加えられた湯のエゼクター効果により空気管２７を通じて前記空気弁２８より空気を吸い込む。これにより、前記気泡吐出用ノズル２３よりは浴槽２で吸い込んだ湯に空気が混ざって噴出する。この気泡運転を停止する場合は、前記リモコン５の運転停止スイッチ（図示せず）を操作して前記循環ポンプ３１を停止すると共に手動又は自動で前記空気弁２８を閉止する。
【００２３】
次ぎに図１の気泡発生装置１の圧力検知手段１７の検知圧力について説明する。前述の循環ポンプ１１が駆動することにより浴槽２の湯が循環する場合、循環ポンプ１１を循環の基点として、循環ポンプ１１の下流側、例えば、往き管１４、往き配管２５等はポンプの吐出により正圧が加わり、循環ポンプ１１の上流側、例えば戻り管１５、戻り配管２６等内の圧力は負圧となる。
図３は前述の浴槽２の戻り循環金具２２、戻り配管２６、戻り配管接続口１３，戻り管１５より循環ポンプ１１までの循環ポンプ１１の平常運転時の圧力について表したグラフである。図３の破線は図１の戻り管１５内に絞り部１６が設けられてない場合であり、実線は図１の様に戻り管１５内に絞り部１６が設けられている場合である。ここで、従来のように戻り管１５に絞り部１６が設けられてない場合は、浴槽２内の戻り循環金具２２近傍の圧力は浴槽に満たされたお湯の水圧により若干の正圧となっている。次に戻り循環金具２２内において浴槽２のお湯が循環ポンプ１１に吸い込まれることにより負圧となり、前記戻り配管２６から前記戻り管１５へと循環ポンプ１１に近づくに連れて漸次水圧が小さく（負圧が大きく）なって行くが、前記戻り配管２６及び前記戻り管１５の有効断面積が循環ポンプの吸込口の断面積を確保できる程度であり戻り配管２６の長さが２〜３ｍ程度であれば、戻り循環金具２２の近傍及び前記循環ポンプ１１の吸入口近傍の負圧には大きな差が生まれず図３の破線のようにほぼ水平となる。ここで、ほぼ水平に下がった負圧を−Ｐa kPaと表す。
【００２４】
次に、図３の実線で表した戻り管１５に絞り部１６を設けた場合は、浴槽２内は前述の絞り部１６を設けない場合と同様だが、該絞り部１６を境として上流側及び下流側で圧力の差が生まれることになり、この上流側の負圧を−Ｐb1 kPaとし、下流側の負圧を−Ｐb2 kPaと表す。よって、これらの負圧は図３より−Ｐb1 kPa＞−Ｐb2 kPaであり、絞り部１６のあるなしにより若干絞り部１６を設けた方が負圧が大きくなるが、ほとんど差はなくほぼ等しいものとなるので、−Ｐa kPa≒−Ｐb2 kPaとなる。
【００２５】
次に、図４のグラフは循環ポンプ１１の駆動直後の時間経過と前記戻り管１６の絞り部１６の上流側（平常運転時の圧力−Ｐb1 kPa）と下流側（平常運転時の圧力−Ｐb2 kPa）の圧力変化を表したもので、循環ポンプ１１が駆動してない場合は浴槽に満たされたお湯の水圧により若干の正圧となっているが循環ポンプ１１が駆動を開始すると吸い込み側の抵抗が大きいため短時間ではあるが平常運転時の圧力より小さい圧力（負圧としては大きい圧力で、その時の最大変化幅を各々−Ｐα1 kPa、−Ｐα2 kPa）になりその後循環が継続すると平常運転時の圧力−Ｐb1 kPa及び−Ｐb2 kPaになる。前述の様に絞り部１６を設けない場合との関係で−Ｐa kPa≒−Ｐb2 kPaであるので、絞り部を設けない場合も−Ｐb2 kPaと同じ動きとなる。
【００２６】
圧力検知手段１７を検知させる必要があるフィルター２４が目詰まりした場合について図５により説明すると、フィルター２４が目詰まりしていくと前述の負圧の関係は全体的にマイナス方向に大きくなり究極的には、循環ポンプ１１の能力限界の負圧が前記フィルター２４より下流の戻り配管２６及び戻り管１５等の循環ポンプ１１吸入口までの全部に渡って、この循環ポンプ１１の能力限界の負圧となる。この循環ポンプ１１の能力限界の負圧を−Ｐmax kPaとして図５においては破線で表し、平常運転状態（−Ｐb1 kPa又は−Ｐb2 kPa）から能力限界の負圧（−Ｐmax kPa）へと移行する状態を−Ｐb1′ kPa、−Ｐb1″ kPa又は−Ｐb2′ kPa、−Ｐb2″ kPaへとして細線で表している。図５で判る様に、絞り部１６の上流側の平常運転状態から循環ポンプ１１の能力限界の負圧への変化幅−Ｐmax kPa−（−Ｐb1 kPa）（これをΔＰb1と表す）と、絞り部１６の下流側の平常運転状態から循環ポンプ１１の能力限界の負圧への変化幅−Ｐmax kPa―（―Ｐb2 kPa）（これをΔＰb2と表す）とを比較するとΔＰb1＞ΔＰb2となり、変化する割合が絞り部１６の上流側の方が大きくなる。
【００２７】
以上のことから、圧力検知手段１７の設定圧力（これを−Ｐs kPaと表す）を、図４の駆動時の一時的な変化幅（−Ｐα1 kPa）を加えた−（Ｐb1 kPa＋Ｐα1 kPa）＞−Ｐs kPaとしてかつ、設定圧力は前述の関係より循環ポンプ１１の能力限界の負圧より小さくする必要がないことから、−Ｐs kPa＞−Ｐmax kPaの間で定めれば良いこととなる。
これにより、圧力検知手段１７で検知する設定圧力（−Ｐs kPa）は絞り部１６を設けないものより小さい設定圧力にすることが可能となり、圧力検知手段１７が設定圧力を検知した時は、制御部１８においてこの設定圧力の検知の信号を受け、リモコン３にフィルター２４の詰まりである旨を文字又は図形に表した表示や赤色の発光ダイオードや電球等による警報ランプの点灯又は点滅による表示、前記リモコン３にブザーや音声を発する機能を持つ場合にはこの音声等による使用者への注意の呼びかけを行うようにしている。このフィルター２４の詰まりにおいて、表示等を行う場合に循環ポンプ１１の駆動を同時に停止するようにしても良い。
【００２８】
また、図２の給湯機付き強制循環式ふろがま４については往きバイパス管４６に圧力検知手段３７が設けてあるが、戻り管３５に設けられた絞り部３６の上流側より前記往きバイパス管４６を分岐しており、該往きバイパス管４６は追い焚き熱交換水路４２及び戻りバイパス管４７と戻り管３５の絞り部３６の下流側と連接しているが、追い焚き熱交換水路４２は給湯熱交換水路４１の内部の湯と熱交換する必要があるので全長を長くして表面積を増加させているため、内部の圧力が図３の−Ｐb1 kPaから−Ｐb2 kPaへと変化する過程は緩やかになる。よって該往きバイパス管４６の範囲であれば図３の−Ｐb1 kPaに近いもので余り大きく変化せず、戻り管３５の絞り部３６の上流側に圧力検知手段３７を設けるのとほぼ等しくなり、前述図１の実施例と同様に説明できる。
【００２９】
以上のように実施の形態において浴槽湯水強制循環装置は構成されているので以下の作用を有する。
ａ．請求項１においては、浴槽湯水強制循環装置（図１の気泡発生装置）の安全装置である戻り管の絞り部が設けられた位置より上流にある圧力検知手段は戻り管に設けた絞り部により、絞り部を設けない時に比較して循環ポンプの駆動時に発生する急激な負圧への落ち込み現象に対して負圧における圧力変動を小さくするという作用を有する。
ｂ．請求項２においては、浴槽湯水強制循環装置（図２の給湯器付強制循環式ふろがま）の安全装置である戻り管の絞り部の上流側で分岐した往きバイパス管に設けた圧力検知手段は戻り管に設けた絞り部により、絞り部を設けない時に比較して循環ポンプの駆動時に発生する急激な負圧への落ち込み現象に対して負圧における圧力変動を小さくするという作用を有する。
【００３０】
【発明の効果】
本発明により、浴槽湯水強制循環装置は以下の効果を有する。
Ａ．前述のａの作用を有することにより、浴槽湯水強制循環装置（図１の気泡発生装置）の安全装置である戻り管の絞り部が設けられた位置より上流にある圧力検知手段は、設定圧力を小さい負圧に設定することが可能となるので、循環ポンプの駆動時における誤作動を少なくすることができることと、同時にフィルターの目詰まりの末期になる前に作動することができ、使用者に早い段階で検知したことを知らせることが可能となるので、フイルター等の掃除も容易になる。
Ｂ．前述のｂの作用を有することにより、浴槽湯水強制循環装置（図２の給湯器付強制循環式ふろがま）の安全装置である戻り管の絞り部の上流側で分岐した往きバイパス管に設けた圧力検知手段は、設定圧力を小さい負圧に設定することが可能となるので、循環ポンプの駆動時における誤作動を少なくすることができることと、同時にフィルターの目詰まりの末期になる前に作動することができ、使用者に早い段階で検知したことを知らせることが可能となるので、フイルター等の掃除も容易になる。また、同時に早い段階で使用者に知らせることができるので、追い焚き熱交換水路の循環水量を低下させないので、沸き上がりまでの時間が長くなることはないという効果も有している。
【図面の簡単な説明】
【図１】本発明の浴槽湯水強制循環装置の実施形態である気泡発生装置の構成図である。
【図２】本発明の浴槽湯水強制循環装置の別実施形態である給湯器付強制循環式ふろがまの構成図である。
【図３】実施例における圧力変化に関する説明図である。
【図４】循環ポンプの駆動時における時間と圧力の変化に関する説明図である。
【図５】実施例におけるフイルターの目詰まりに対応する圧力変化に関する説明図である。
【符号の説明】
１  気泡発生装置
２  浴槽
３、５  リモコン
４  給湯機能付き強制循環式ふろがま
１１、３１  循環ポンプ
１２、３２  往き配管接続口
１３、３３  戻り配管接続口
１４、３４  往き管
１５、３５  戻り管
１６、３６  絞り部
１７、３７  圧力検知手段
１８、３８  制御部
２１  往き循環金具
２２  戻り循環金具
２３  気泡吐出用ノズル
２４  フィルター
２５  往き配管
２６  戻り配管
２７  空気管
２８  空気弁
３９  浴槽水温検知手段
４０  １缶２水路熱交換器
４１  給湯熱交換水路
４２  追い焚き熱交換水路
４３  加熱手段
４４  入口側接続口
４５  出口側接続口
４６  往きバイパス管
４７  戻りバイパス管
４８  水温検知手段
【図１】
0004541575.tif 000002
【図２】
0004541575.tif 000003
【図３】
0004541575.tif 000004
【図４】
0004541575.tif 000005
【図５】
0004541575.tif 000006